(57)【要約】【課題】  本発明は商品等のサイズや形状に適応させて、十分な緩衝効果を得ることができる緩衝材を得るにある。【解決手段】  段ボールや厚紙等で形成された、開口部を有する緩衝材本体と、この緩衝材本体の端部部位に設けられた一対の支持部材と、前記緩衝材本体の開口部部位に取付けられた緩衝シートとで緩衝材を構成している。【選択図】  図１
2004331224.tif 000002
【特許請求の範囲】
【請求項１】
段ボールや厚紙等で形成された、開口部を有する緩衝材本体と、この緩衝材本体の端部部位に設けられた一対の支持部材と、前記緩衝材本体の開口部部位に取付けられた緩衝シートとからなることを特徴とする緩衝材。
【請求項２】
段ボールや厚紙等で形成された、使用時には商品等を立体的に支持することができるように撓ませる、あるいは折り曲げることができる開口部を有する緩衝材本体と、この緩衝材本体の端部部位に設けられた、両端部に補強部を有する一対の支持部材と、前記緩衝材本体の開口部部位に取付けられた緩衝シートとからなることを特徴とする緩衝材。
【請求項３】
段ボールや厚紙等で形成された、使用時には商品等を立体的に支持することができるように撓ませる、あるいは折り曲げることができる開口部を有する緩衝材本体と、この緩衝材本体の端部部位に形成された、使用時に該緩衝材本体を補強するための補強片と、前記緩衝材本体の端部部位に設けられた、両側部に補強部を有する一対の支持部材と、前記緩衝材本体の開口部部位に取付けられた緩衝シートとからなることを特徴とする緩衝材。
【請求項４】
段ボールや厚紙等で形成された、使用時には商品等を立体的に支持することができるように撓ませることができる開口部を有する緩衝材本体と、この緩衝材本体の端部部位に設けられた、使用時には前記緩衝材本体を支持する少なくとも２個の支持部材と、前記緩衝材本体の開口部部位に取付けられた緩衝シートとからなることを特徴とする緩衝材。
【請求項５】
段ボールや厚紙等で形成されたベース板と、このベース板の上面に固定的に取付けられた、両側部に補強部を有する一対の支持部材と、この一対の支持部材に端部部位が取付けられた、使用時には商品等を立体的に支持することができるように撓ませる、あるいは折り曲げることができる開口部を有する緩衝材本体とからなることを特徴とする緩衝材。
【請求項６】
段ボールや厚紙等で形成された、使用時には商品等を立体的に支持することができるように撓ませる、あるいは折り曲げることができる開口部を有する緩衝材本体と、この緩衝材本体の開口部部位に取付けられた緩衝シートと、前記緩衝材本体の端部部位に形成された、使用時に該緩衝材本体を補強するための少なくとも１つの補強片と、前記緩衝材本体の端部部位に設けられた支持部材本体、この支持部材本体に設けられた前記少なくとも１つの補強片と係合する補強部、前記支持部材本体に設けられた、使用時に前記緩衝シートの弛みや緩みを防止する支持片とからなる、使用時にはほぼ箱形状の一対の支持部材とからなることを特徴とする緩衝材。
【発明の詳細な説明】
【技術分野】
【０００１】
本発明は、商品を段ボール箱に梱包する場合等に使用される緩衝材に関する。
【背景技術】
【０００２】
従来の緩衝材は、複数枚の樹脂フィルムで平面状に緩衝するもの、合成樹脂材で空気室を形成したものが使用されている。
【０００３】
従来の樹脂フィルムを使用した緩衝材は平面的に商品を押し圧して緩衝するので高さ寸法や幅寸法のある商品には十分な緩衝効果が得られないという欠点があった。
【特許文献１】特になし
【発明の開示】
【発明が解決しようとする課題】
【０００４】
本発明は以上のような従来の欠点に鑑み、商品等のサイズや形状に適応させて、十分な緩衝効果を得ることができる緩衝材を提供することを目的としている。
また、本発明は使用後の処理を容易に行うことができるとともに、使用前後は展開して収納しておくことができる緩衝材を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は段ボールや厚紙等で形成された、開口部を有する緩衝材本体と、この緩衝材本体の両側部に設けられた一対の支持部材と、前記緩衝材本体の開口部に取付けられた緩衝シートとで緩衝材を構成している。
【発明の効果】
【０００７】
以下の説明から明らかなように、本発明にあっては次に列挙する効果が得られる。
【０００８】
以上の説明から明らかなように、本発明にあっては、次に列挙するような効果がある。
【０００９】
（１）段ボールや厚紙等で形成された、開口部を有する緩衝材本体と、この緩衝材本体の両側部に設けられた一対の支持部材と、前記緩衝材本体の開口部に取付けられた緩衝シートとからなるので、緩衝材本体をほぼ中心部位で折り曲げることができる。
したがって、商品等を挟み込んでクッション効果を有するように立体的に支持することができる。
【００１０】
（２）前記（１）によって、商品等を緩衝するために収縮させることができるので、十分に商品等を挟み込んで、緩衝することができる。
【００１１】
（３）前記（１）によって、構造が容易なので、安価に製造することができる。
したがって、コストの低減を図ることができる。
【００１２】
（４）請求項２〜６も前記（１）〜（３）と同様な作用効果が得られる。
【発明を実施するための最良の形態】
【００１３】
以下、図面に示す実施するための最良の形態により、本発明を詳細に説明する。
【実施例１】
【００１４】
図１ないし図８に示す本発明の第１実施の形態において、１は本発明の緩衝材で、この緩衝材１は、段ボールや厚紙等の紙材、軟質合成樹脂材等で四角形状に形成された、使用時には商品等を挟み込んで立体的に支持することができるように断面Ｖ字形状に撓ませる、あるいはほぼ中心部位で折り曲げることができる折り曲げ部２を有する、四角形状の開口部３を有する緩衝材本体４と、この緩衝材本体４の両端部に形成された、該緩衝材本体４と同様の素材で形成され、使用時に該緩衝材本体４を補強するための補強片５、５、５、５と、前記緩衝材本体４の両側部に設けられた、該緩衝材本体４と同様の素材で形成され、両端部に補強部６、６、６、６を有する一対の支持部材７、７と、前記緩衝材本体４の前記開口部３上に接着剤で接着固定された透明あるいは半透明の緩衝シート８とで構成されている。
【００１５】
前記緩衝シート８は、可撓性や可塑性等の衝撃や圧力を吸収、回避することができるポリウレタン等の合成樹脂フィルムを使用し、使用目的や用途によって選択的に使用できる。
また、本実施の形態では接着剤で接着固定されているが、溶着固定や貼付固定等で取付けられてもよい。
【００１６】
上記構成の緩衝材１は、使用前後には図３および図４示すように、緩衝材本体４を展開して平面状あるいは折り畳み状態に伸縮させておくことができ、小さなスペースに多くを収納保管できる。
使用時には図６に示すように、緩衝材本体４を内側方向に折り曲げて緩衝シート８を撓ませるとともに、補強片５、５、５、５、一対の支持部材７、７および補強部６、６、６、６をそれぞれ補強、支持する方向へ折り曲げ、商品９等を立体的、少なくとも３点で支持することができる緩衝シート８上に、商品９等を位置させ、図７に示すように段ボール箱１０内に収納する。
収納された商品９等は緩衝シート８による立体的支持およびクッション効果により支持された状態となり商品等を確実に保護できる。
また、収納された商品９等の上部を固定テープやフィルム等を用いて、さらに固定してもよい。
【００１７】
なお、使用時に補強片５、５、５、５と補強部６、６、６、６とをそれぞれ接着固定することにより、上下方向の衝撃により潰れるのを効率よく防止することができる。
また、緩衝材１は伸縮させることができるので、商品９等の大きさや形状、段ボール箱１０の幅や高さ等に適応させて使用することができるとともに、緩衝材本体４の幅寸法や支持部材７、７の高さ寸法等は任意の寸法にすることができる。
さらに、図８に示すように、本発明の緩衝材１を複数個並べて、段ボール箱１０内に収納することもできる。
{発明を実施するための異なる形態}
【００１８】
次に、図９ないし図３１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００１９】
図９ないし図１２に示す本発明の第２の実施の形態において、前記本発明の第１の実施の形態と主に異なる点は、前記緩衝材本体４の裏面に開口部３を覆うように取付けられ、使用時には前記緩衝材本体４を支持し、あるいは商品９等を支持することができる第２の支持部材１１、１１を用いた点で、このように構成した緩衝材１Ａにしても本発明の第１の実施の形態と同様の作用効果を得ることができる。
【実施例３】
【００２０】
図１３に示す本発明の第３の実施の形態において、前記本発明の第１の実施の形態と主に異なる点は、前記補強片５、５、５、５を用いない点で、このように構成した緩衝材１Ｂにしても本発明の第１の実施の形態と同様の作用効果を得ることができる。
なお、本実施の形態では、補強部６、６、６、６を外方向に突出するように折り曲げ、緩衝材本体４の両端部が重なり合うように折り曲げ部２を折り曲げた状態で、縦方向あるいは横方向に段ボール箱１０内に収納することもできる。この場合には、該段ボール箱１０の幅寸法あるいは高さ寸法に合わせて前記補強部６、６、６、６を四角形状に形成したものを使用してもよい。
【実施例４】
【００２１】
図１４に示す本発明の第４の実施の形態において、前記本発明の第３の実施の形態と主に異なる点は、前記補強部６、６、６、６を用いない一対の支持部材７Ａ、７Ａを用いた点で、このように構成した緩衝材１Ｃにしても本発明の第１の実施の形態と同様の作用効果を得ることができる。
【実施例５】
【００２２】
図１５および図１６に示す本発明の第５の実施の形態において、前記本発明の第３の実施の形態と主に異なる点は、ほぼ中心部位で折り曲げることができる折り曲げ部２のない、使用時にはほぼＵ字状に撓ませることができる緩衝材本体４Ａを用いた点で、このように構成した緩衝材１Ｄにしても本発明の第１の実施の形態と同様の作用効果を得ることができる。
【実施例６】
【００２３】
図１７および図１８に示す本発明の第６の実施の形態において、前記本発明の第１の実施の形態と主に異なる点は、丸形状の開口部３Ａを有する緩衝材本体４Ｂと、前記緩衝材本体４Ｂを用いた点で、このように構成した緩衝材１Ｅにしても本発明の第１の実施の形態と同様の作用効果を得ることができる。
なお、本実施の形態では、丸形状の開口部３Ａを有する緩衝材本体４Ｂを用いたものについて使用したが、これに限らず、商品９等の大きさや形状に合わせて、三角形状、楕円形状等に形成してもよい。
【実施例７】
【００２４】
図１９および図２０に示す本発明の第７の実施の形態において、前記本発明の第１の実施の形態と主に異なる点は、前記一対の支持部材７、７の端部が、上面に固定的に取付けられた、段ボールや厚紙等で形成されたベース板１６を用いた点で、このように構成した緩衝材１Ｆにしても本発明の第１の実施の形態と同様の作用効果を得ることができる。
【実施例８】
【００２５】
図２１および図２２に示す本発明の第８の実施の形態において、前記本発明の第１の実施の形態と主に異なる点は、前記補強片５、５、５、５のほぼ中央端部部位に係止片１２、１２、１２、１２が形成され、この係止片１２、１２、１２、１２が係止されることができるように前記一対の支持部材７、７の補強部寄り部位に形成された係止片挿入孔１３、１３、１３、１３と、前記一対の支持部材７、７の補強部６、６、６、６の端部に係合片１４、１４、１４、１４が形成され、使用時には、対向する係合片１４、１４が組み合わせ状態で係合する点で、このように構成した緩衝材１Ｇにしても本発明の第１の実施の形態と同様の作用効果を得ることができるとともに、上下方向の圧縮力に対して、より緩衝効果を高めることができる。
なお、本実施の形態では、前記係止片１２、１２、１２、１２、あるいは前記係合片１４、１４、１４、１４のどちらか一方のみが形成されていてもよい。
【実施例９】
【００２６】
図２３および図２４に示す本発明の第９の実施の形態において、前記本発明の第８の実施の形態と主に異なる点は、使用時には前記緩衝材本体４を支持し、あるいは商品９等を支持することができる第２の支持部材１１、１１を開口部部位に形成し、前記緩衝材本体４の折り曲げ部部位に内側方向に突出するように形成された第３の支持部材１５、１５を備えた点で、このように構成した緩衝材１Ｈにしても本発明の第８の実施の形態と同様の作用効果を得ることができる。
【実施例１０】
【００２７】
図２５ないし図２７に示す本発明の第１０の実施の形態において、前記本発明の第９の実施の形態と主に異なる点は、前記緩衝材本体４の端部部位に形成された、隅部位に係止片５ｂ、５ｂ、５ｂ、５ｂおよび切欠き部５ａ、５ａ、５ａ、５ａを有するほぼ四角形状の補強片５Ａ、５Ａ、５Ａ、５Ａと、係止片１１ａ、１１ａを有する第２の支持部材１１Ａ、１１Ａと、前記緩衝材本体４の第３の支持部材１５、１５の近傍部位に設けられた係止片１７、１７、１７、１７を有する補強片１８、１８、１８、１８と、前記緩衝材本体４の端部部位に設けられた、係合孔１９、１９、１９、１９、２０、２０を有する支持部材本体２１、２１、この支持部材本体２１、２１に設けられた、折り曲げ部位に形成された係合孔２２、２２、２２、２２と係止片２３、２３、２３、２３を有する一対の第１の補強部２４、２４および該支持部材本体２１、２１の側面部位に設けられた支持片を形成する切欠き部２５、２５、２５、２５を有する一対の第２の補強部２６とからなる補強部６Ｂ、６Ｂを備える、使用時にはほぼ箱形状の一対の支持部材７Ｃ、７Ｃとを用いた点で、このように構成した緩衝材１Ｉにしても本発明の第９の実施の形態と同様の作用効果を得ることができる。
【００２８】
本実施例の緩衝材１Ｉにおいて、前記支持部材７Ｃ、７Ｃを組立てる時には、支持部材本体２１を内側に折込むと同時に、第１の補強部２４と第２の補強部２６を内側方向に折り込み、補強片５Ａと補強片１８をそれぞれ内側方向に折り込む。この時、第１の補強部２４の係止片２３を補強片５Ａの切欠き部５ａに挿入し係止させると同時に、補強片５Ａの係止片５ｂが係合孔２２に係合し、補強片１８の係止片１７が係合孔１９に係止される。また、第２の補強部２６の切欠き部２５を、補強片１８の側片に押し込み状態で係合させる。さらに、第２の支持部材１１Ａを内側方向に折り込み、係止片１１ａを係合孔２０に挿入して係止することができる。
図２７に示すように、支持部材７Ｃ、７Ｃを組立てた状態で、緩衝シート８上に商品９等を位置させ、支持部材７Ｃを合わせるように折り畳み、商品９等が収納状態で段ボール箱１０内に縦方向あるいは横方向に収納される。
収納時には、第３の支持部材１５等によって、緩衝シート８を引っ張り状態にして、商品９等を立体的に支持することができる。
また、第１の補強部２４、補強片５Ａ、補強片１８、補強部６Ｂによって２重の壁部で構成されているので、商品９等を確実に保護し、上下方向の衝撃により潰れるのを効率よく防止することができる。
なお、商品９等が収納状態で段ボール箱１０内に収納される時に、組立てられた支持部材７Ｃ、７Ｃ内にスペースが確保されるので、商品９等に関連する部品や書籍等を収納することができる収納部を設けてもよい。
【実施例１１】
【００２９】
図２８および図２９に示す本発明の第１１の実施の形態において、前記本発明の第１０の実施の形態と主に異なる点は、前記補強片１８の、前記係止片１７以外の端部部位に設けられた、折り曲げ状態で前記係合孔２２に挿入して、係止することができる係止片２７、２７を有する補強片２８を用いた点で、このように構成した緩衝材１Ｊにしても本発明の第９の実施の形態と同様の作用効果を得ることができるとともに、前記補強片１８が内側方向に折り曲げられるとともに、前記補強片２８も内側方向へ曲げられ、前記係止片２７は、係合孔２２に係合することできる。この時、前記係止片１７は前記補強片２８が折り曲げられた場合にでも、下方へ突出状態で係合孔１９に係止されることができる。
【実施例１２】
【００３０】
図３０に示す本発明の第１２の実施の形態において、前記本発明の第１０の実施の形態と主に異なる点は、商品９等を支持することができる第２の支持部材１１、１１を用いた点で、このように構成した緩衝材１Ｋにしても本発明の第１０の実施の形態と同様の作用効果を得ることができる。
【実施例１３】
【００３１】
図３１に示す本発明の第１３の実施の形態において、前記本発明の第１０の実施の形態と主に異なる点は、前記開口部３のほぼ中央部部位に橋渡し形状に形成され、ほぼ中心部位で前記折り曲げ部２より折り曲げることができる支持部２９を有する緩衝材本体４Ｃを用いた点で、このように構成した緩衝材１Ｌにしても本発明の第１０の実施の形態と同様の作用効果を得ることができる。
なお、本実施例では、緩衝シート８は開口部３の全体を覆うように形成したものを説明したが、本発明はこれに限らず、開口部３、３をそれぞれ覆うように形成したものを用いてもよい。
【００３２】
なお、本発明の各実施の形態では、段ボールや厚紙等の紙材、軟質合成樹脂材等で四角形状に形成された緩衝材本体を用いたものについて説明したが、本発明はこれに限らず、商品や収納容器の形状、大きさに適応するように、丸形状、楕円形状、台形状等の形状に形成されたものを使用してもよい。
【００３３】
また、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００３４】
本発明は緩衝材を製造、使用する産業等で利用される。
【図面の簡単な説明】
【００３５】
【図１】本発明の第１の実施の形態の使用状態の説明図。
【図２】本発明の第１の実施の形態の図１の２−２線に沿うの断面図。
【図３】本発明の第１の実施の形態の展開平面図。
【図４】本発明の第１の実施の形態の展開底面図。
【図５】本発明の第１の実施の形態の図３の５−５線に沿うの断面図。
【図６】本発明の第１の実施の形態の組立て説明図。
【図７】本発明の第１の実施の形態の使用方法の概略図。
【図８】本発明の第１の実施の形態の２個使用した場合の説明図。
【図９】本発明の第２の実施の形態の使用状態の説明図。
【図１０】本発明の第２の実施の形態の図９の１０−１０線に沿うの断面図。
【図１１】本発明の第２の実施の形態の展開底面図。
【図１２】本発明の第２の実施の形態の折り曲げ状態の説明図。
【図１３】本発明の第３の実施の形態の展開平面図。
【図１４】本発明の第４の実施の形態の展開平面図。
【図１５】本発明の第５の実施の形態の展開平面図。
【図１６】本発明の第５の実施の形態の組立て状態を示す説明図。
【図１７】本発明の第６の実施の形態の展開平面図。
【図１８】本発明の第６の実施の形態の図１７の１８−１８線に沿うの断面図。
【図１９】本発明の第７の実施の形態の展開平面図。
【図２０】本発明の第７の実施の形態の組立て状態を示す説明図。
【図２１】本発明の第８の実施の形態の展開平面図。
【図２２】本発明の第８の実施の形態の組立て状態を示す説明図。
【図２３】本発明の第９の実施の形態の展開平面図。
【図２４】本発明の第９の実施の形態の折り曲げ状態の説明図。
【図２５】本発明の第１０の実施の形態の展開平面図。
【図２６】本発明の第１０の実施の形態の組立て説明図。
【図２７】本発明の第１０の実施の形態の使用状態の概略説明図。
【図２８】本発明の第１１の実施の形態の展開平面図。
【図２９】本発明の第１１の実施の形態の支持部材の組立て状態の側面図。
【図３０】本発明の第１２の実施の形態の展開平面図。
【図３１】本発明の第１３の実施の形態の展開平面図。
【符号の説明】
【００３６】
１、１Ａ〜１Ｌ：緩衝材、            ２：折り曲げ部、
３、３Ａ：開口部、                  ４、４Ａ〜４Ｃ：緩衝材本体、
５、５Ａ：補強片、                  ５ａ：切欠き部、
５ｂ：係止片、                      ６、６Ａ：補強部、
７、７Ａ〜７Ｃ：支持部材、          ８：緩衝シート、
９：商品、                          １０：段ボール箱、
１１、１１Ａ：第２の支持部材、      １１ａ：係止片、
１２：係止片、                      １３：係止片挿入孔、
１４：係合片、                      １５：第３の支持部材、
１６：ベース板、                    １７：係止片、
１８：補強片、                      １９：係合孔、
２０：係合孔、                      ２１：支持部材本体、
２２：係合孔、                      ２３：係止片、
２４：第１の補強部、                ２５：切欠き部、
２６：第２の補強部、                ２７：係止片、
２８：補強片、                      ２９：支持部。
【図１】
2004331224.tif 000003
【図２】
2004331224.tif 000004
【図３】
2004331224.tif 000005
【図４】
2004331224.tif 000006
【図５】
2004331224.tif 000007
【図６】
2004331224.tif 000008
【図７】
2004331224.tif 000009
【図８】
2004331224.tif 000010
【図９】
2004331224.tif 000011
【図１０】
2004331224.tif 000012
【図１１】
2004331224.tif 000013
【図１２】
2004331224.tif 000014
【図１３】
2004331224.tif 000015
【図１４】
2004331224.tif 000016
【図１５】
2004331224.tif 000017
【図１６】
2004331224.tif 000018
【図１７】
2004331224.tif 000019
【図１８】
2004331224.tif 000020
【図１９】
2004331224.tif 000021
【図２０】
2004331224.tif 000022
【図２１】
2004331224.tif 000023
【図２２】
2004331224.tif 000024
【図２３】
2004331224.tif 000025
【図２４】
2004331224.tif 000026
【図２５】
2004331224.tif 000027
【図２６】
2004331224.tif 000028
【図２７】
2004331224.tif 000029
【図２８】
2004331224.tif 000030
【図２９】
2004331224.tif 000031
【図３０】
2004331224.tif 000032
【図３１】
2004331224.tif 000033